(57)【特許請求の範囲】
【請求項１】
机面として使用される天板と、
前記天板を支持する脚部と、
前記天板の上方に対象部材を設置するための支柱と、
前記脚部に設けられた、前記支柱が挿入される挿入孔であって、前記支柱が第一の向きで挿入された場合に該支柱の側面の一部に沿う第一の内側面と、該支柱が前記第一の向きとは異なる第二の向きで挿入された場合に該支柱の側面の一部に沿う第二の内側面と、を有する挿入孔と、
を備え、
前記挿入孔に挿入された前記支柱は、前記第一の内側面および前記第二の内側面の少なくとも何れかに固定される、
机。
【請求項２】
前記第一の内側面および前記第二の内側面は、前記脚部の延びる方向と平行に延びる、
請求項１に記載の机。
【請求項３】
前記脚部は、金属板を曲げて形成された外郭を有し、
前記第一の内側面および前記第二の内側面は、前記外郭をなす金属板の内壁の一部である、
請求項２に記載の机。
【請求項４】
前記支柱は、該支柱の側面に、長手方向に延在する被固定部を有し、
前記支柱は、前記被固定部の任意の位置において前記第一の内側面および前記第二の内側面の少なくとも何れかに固定される、
請求項１から３の何れか１項に記載の机。
【請求項５】
前記支柱は、側面に長手方向に延びる溝を有し、
前記第一の内側面および前記第二の内側面は、前記挿入孔に前記支柱が挿入された状態で前記溝に対応する位置に支柱固定用の孔を有し、
前記支柱は、前記溝の内側両側に付勢することで溝内の任意の位置に固定される付勢部材と、前記固定用の孔に前記付勢部材を固定する固定部材とによって、前記第一の内側面
および前記第二の内側面の少なくとも何れかに固定される、
請求項１から３の何れか１項に記載の机。
【請求項６】
前記脚部は、上部において所定の前後幅を有し、該上部の後端を除く部分で前記天板を支持し、
前記挿入孔は、前記脚部上部の後端に開口する、
請求項１から５の何れか１項に記載の机。
【発明の詳細な説明】
【技術分野】
【０００１】
本発明は、天板および該天板を支持する脚部を備える机に関する。
【背景技術】
【０００２】
従来、机にデスクトップパネル等を取り付けるために、机の上部後端部に、デスクトップパネル取付部と幕板取り付け用の係合部とを備えるブラケットを設ける技術がある（特許文献１を参照）。
【０００３】
また、机の天板下方に配置された後部横ビームに机側ブラケットを設け、この机側ブラケットに、バックパネルに固定されたパネル側ブラケットを保持させることで、机にバックパネルを取り付ける技術がある（特許文献２を参照）。
【特許文献１】特開２００６−１３６６５８号公報
【特許文献２】特開２００５−８７６２４号公報
【特許文献３】特開２００４−３３７４５２号公報
【特許文献４】特開２００６−２６３０５７号公報
【特許文献５】特開２００４−２２９８２５号公報
【特許文献６】特開２００７−１４４００６号公報
【発明の開示】
【発明が解決しようとする課題】
【０００４】
従来、机にバックパネルを設けたり、机の天板上方に棚を設けたりする場合には、机の天板の一部または後部横ビームにバックパネル取り付け装置を設置する方法や、机の天板上に棚を載置する方法等が採られている。
【０００５】
しかし、このような方法では、ユーザにとって可能な限り広く使用したい天板の使用可能な面積を狭めることになり、また、強度や安定性の問題から、天板上方に設置された棚等への収納物の重量は厳しく制限される必要があった。また、従来の支柱取り付け方法において、取り付けられる棚等の安定性を向上させようとした場合、天板の使用可能な面積を更に狭めることとなる。
【０００６】
本発明は、上記した問題に鑑み、天板の使用可能な面積を広く確保したまま、安定性の高い支柱取り付け構造を有する机を提供することを課題とする。
【課題を解決するための手段】
【０００７】
本発明は、上記した課題を解決するために、脚部に設けられた挿入孔内に支柱を固定することで、天板の使用可能な面積を広く確保したまま、安定性の高い支柱取り付け構造を有する机を提供することを可能にした。
【０００８】
詳細には、本発明は、机面として使用される天板と、前記天板を支持する脚部と、前記天板の上方に対象部材を設置するための支柱と、前記脚部に設けられた、前記支柱が挿入される挿入孔であって、少なくとも前記支柱の側面の一部に沿う内側面を有する挿入孔と、を備え、前記挿入孔に挿入された前記支柱は、前記内側面に固定される、机である。
【０００９】
ここで、天板の上方に設置される対象部材とは、例えば、パネル、棚、収納具、照明器具等である。但し、この対象部材は、机の使用において天板上方に設置されるものであればよく、上記例示に限定されるものではない。本発明は、対象部材を設置するために用いられる支柱を、脚部に挿入孔を設けてこの挿入孔内に固定することで、天板を使用せずに
支柱の安定性を確保することを可能とするものである。
【００１０】
また、前記内側面は、前記脚部の延びる方向と平行に延びてもよい。このようにすることで、挿入孔の深さを深くすることが可能となる。例えば、支柱を挿入孔の内側面で支持する場合、支柱と内側面との接触面積を大きく取ることが可能となり、支柱の安定性を向上させることが出来る。
【００１１】
また、前記脚部は、金属板を曲げて形成された外郭を有し、前記内側面は、前記外郭をなす金属板の内壁の一部であってもよい。このようにすることで、脚部と挿入孔とを構成する部材を共通化することが可能となり、製造コストや製造工程の簡略化において有利である。また、通常、脚部は天板等を支持するために相応の強度を有するため、この強度を、支柱を安定的に固定するために活用することが可能となる。
【００１２】
また、前記支柱は、該支柱の側面に、長手方向に延在する被固定部を有し、前記支柱は、前記被固定部の任意の位置において前記内側面に固定されてもよい。従来の、天板や机の背面ビームを用いて支柱を固定する方式において高さ調整を可能とするためには、望みの高さに合わせて支柱を交換するか、支柱そのものに伸縮機構を設ける必要があった。これに対して、本発明に拠れば、支柱が被固定部の任意の位置において固定されるため、支柱の固定高さを自由に調整することが可能である。
【００１３】
より具体的には、前記支柱は、側面に長手方向に延びる溝を有し、前記内側面は、前記挿入孔に前記支柱が挿入された状態で前記溝に対応する位置に支柱固定用の孔を有し、前記支柱は、前記溝の内側両側に付勢することで溝内の任意の位置に固定される付勢部材と、前記固定用の孔に前記付勢部材を固定する固定部材とによって、前記内側面に固定されてもよい。
【００１４】
溝内に固定される付勢部材、およびこの付勢部材を固定する固定部材を用いて支柱を固定することによって、支柱の設置高さを変更する必要が生じた場合等に、溝内に固定された付勢部材の位置を変更するのみで、容易に支柱の設置高さの変更を行うことが可能となる。
【００１５】
また、天板の使用可能な面積を更に広く取るために、前記脚部は、上部において所定の前後幅を有し、該上部の後端を除く部分で前記天板を支持し、前記挿入孔は、前記脚部上部の後端に開口してもよい。挿入孔の開口が脚部後端に設けられることで、ユーザは支柱が邪魔になることなく、天板を広く使用することが可能となる。
【発明の効果】
【００１６】
本発明によって、天板の使用可能な面積を広く確保したまま、安定性の高い支柱取り付け構造を有する机を提供することが可能となる。
【発明を実施するための最良の形態】
【００１７】
本発明に係る机の実施の形態について、図面に基づいて説明する。なお、本実施形態では、本発明に係る支柱取り付け構造（支柱支持装置）は、机の天板上にパネルや棚等の対象部材を設けるために用いられるが、同様の支柱取り付け構造を、机以外のものに設けることも可能である。例えば、液晶ディスプレイや照明器具を設置するための支柱支持装置に、本発明に係る支柱取り付け構造を設けてもよい。
【００１８】
＜第一の実施形態＞
図１は、本実施形態に係る机の全体的な構成を示す図である。本実施形態に係る机１ａは、左右に設けられた側面Ｌ字状の一対の脚部２と、脚部２によって支持される天板３と
、を備える。更に、机１ａは、棚やパネル等の設置に用いられる支柱６と、支柱６が挿入される挿入孔７と、支柱６の間に接続されるビーム９と、を備える。図示は省略するが、このようにして設けられた支柱６またはビーム９を利用して、天板３上にパネルや棚を設置することが可能である。
【００１９】
図２は、本実施形態に係る脚部２の構成を示す図である。脚部２は、金属板が曲げ加工されることで形成された外郭（腕部２１、胴部２３、背面部２２、足部２４）に、腕部カバー２５、足カバー２６、背面カバー２７、開口縁２８、開口カバー２９、および接地足３０が設けられることで構成される。なお、本実施形態においては、脚部２の外郭は金属板を用いて作成されることとしているが、その他の材料を用いて作成されてもよい。また、脚部２は、天板３を支持する上部において、横幅よりも長い所定の前後幅（奥行）を有することで、天板３を安定的に支持する。
【００２０】
天板３は、ユーザの作業スペースであり、本実施形態では、脚部２上部の、後端を除く部分によって支持される。これは、脚部２の上部後端に、挿入孔７の開口が設けられるためである。なお、本実施形態では、天板３は脚部２上部の開口手前までの奥行を有するが、開口のない部分（即ち、天板３の左右端を除く部分）においては、天板３は脚部２の後端と同じか、それよりも後の位置までの奥行を有してもよい。
【００２１】
図３は、本実施形態に係る挿入孔７を示す断面図である。脚部２の後端には、支柱６が挿入される挿入孔７が設けられる。挿入孔７の内側面のうち、机１ａの背面側の内側面７１には、後述するスライディングブロックを用いて支柱６を固定するための複数の設置孔７２、および背面カバー２７を係止するための複数の係止孔７３が設けられる（図２を参照）。図示は省略するが、背面カバー２７の内側にはフックが設けられており、係止孔７３に係止することで背面カバーは脚部２の背面に取り付けられる。
【００２２】
図４は、本実施形態に係る支柱６の断面図である。本実施形態では、支柱６の断面形状は長方形であり、挿入孔７の断面形状も支柱６の断面形状に対応する長方形である。そして、支柱６および挿入孔７は、支柱６が挿入された状態で支柱６の４面の側面と挿入孔７の４面の内側面とが丁度接触する寸法で形成されている。
【００２３】
支柱６は、断面略矩形であり、また、側面に長手方向に延びた溝を有する。支柱６は、パネルや棚等を机１ａの天板３上に設置するための部材である。支柱６の断面形状は、ベース部６０から四方向に隔壁６１が延び、支柱６の断面における四隅に頂点Ｑを形成する。そして、一の頂点Ｑから他の頂点Ｑに向かって、壁面６２がそれぞれから延びている。一の頂点Ｑから延びる壁面６２と、他の頂点Ｑから延びる壁面６２は、両頂点Ｑの中間手前まで延びているが両者は接触しない。従って、対向する壁面６２、６２（以下、「一対の壁面６２」と称する。）との間には、開口部６３が形成される。また、一対の壁面６２と隔壁６１とベース部６０とによって、溝部６４が形成される。これらの開口部６３および溝部６４は、支柱６の長手方向にその全長にわたって延びている。
【００２４】
この支柱６は、挿入孔７に挿入される。そして、この支柱６において、図５から図８で示されるスライディングブロックを利用して任意の高さで内側面７１に支柱６を固定し、以てパネルや棚等を設置するための支柱６をユーザに提供することが可能となる。以下に、該スライディングブロックについて説明する。
【００２５】
スライディングブロックは、図５に示す付勢部材８２と図６に示すベース部材８３とで構成される。この二つは、完全に別個の部材である。付勢部材８２は、輪郭形状を有する付勢部８２ａと、付勢部８２ａから一の方向に突出した突起部８２ｂと、突起部８２ｂとは反対の方向に付勢部８２ａから突出した突起部８２ｃから構成される。付勢部８２ａは
、突起部８２ｂと突起部８２ｃが設けられた各点を結ぶ線に対して線対称に形成される。具体的な付勢部８２ａの形状は、各突起部近傍（図中Ｒ１で示される領域）では線対称の中心線に若干沿う形状であり、更に付勢部８２ａの中央に近づくと（図中Ｒ２で示される領域）線対称の中心線から離れるように円弧形状をとり、付勢部８２ａの中央近傍（図中Ｒ３で示される領域）では線対称の中心線にほぼ平行な形状となる。付勢部８２ａがこのような形状を採ることで、Ｒ１で示される領域の付勢部を軸として、Ｒ３で示される領域の付勢部が図面に垂直な方向に撓みやすくなり、そのたわみによって付勢部８２ａが図面に垂直な方向に付勢力を発揮することが可能となる。また突起部８２ｃは、概ね円柱状の突起形状を有しており、突起部８２ｂは、突起部８２ｃより若干の横幅を有する形状である。尚、この横幅は、支柱６の開口部６３の幅より若干小さい。
【００２６】
ベース部材８３は、図６に示すようにベース部８３ａの中央にネジ孔８３ｂが３個設けられる。更に、ベース部８３ａの一端面側に段付き部８３ｃが、ベース部８３ａの長手方向に沿って設けられている。尚、この段付き部８３ｃの幅（図面上下方向の幅）は、支柱６の開口部６３の幅より若干小さい。
【００２７】
上述した付勢部材８２およびベース部材８３の、支柱６の溝部６４内におけるスライディングブロックとしての機能の発揮について図７に基づいて説明する。図７に示すのは、支柱６の溝部６４内におけるスライディングブロックの様子である。溝部６４は、上述したように中心部６０から延びる隔壁６１と壁面６２のそれぞれの内壁面によって形成され、その断面形状は略六角形である。ここで、図７に示すように、溝部６４の断面における略六角形の頂点をＳ１からＳ６と称するとともに、開口部６３を構成する頂点をＴ１、Ｔ２と称する。
【００２８】
まず、図７（ａ）に示すように、溝部６４に対して付勢部材８２を開口部６３から滑り込ませる。このとき突起部８２ｃが溝部６４の奥部（頂点Ｓ３、Ｓ４の近傍）に位置し、突起部８２ｂが開口部６３の近傍（頂点Ｔ１、Ｔ２の間）に位置する。また、付勢部８２ａの領域Ｒ３に位置する部分は、溝部６４の頂点Ｓ１、Ｓ２間および頂点Ｓ５、Ｓ６間の内壁面近傍に位置する。このとき、付勢部８２ａと該内壁面との間には僅かな間隙が存在するため、付勢部８２ａは撓んだ状態とはなっていない。
【００２９】
図７（ａ）に示す状態では、突起部８２ｂを介して付勢部材８２を支柱６の溝部６４内を自在に移動させることが可能である。溝部６４の任意の位置に付勢部材８２を移動させた後、図７（ｂ）に示すように溝部６４内にベース部材８３を挿入させる。このとき、ベース部材８３は、付勢部材８２の付勢部８２ａの突起部８２ｂが突出している側の面上に、ベース部材８３の段付き部８３ｃが設けられていない面が接触し、該段付き部８３ｃが開口部６３に位置する。
【００３０】
図７（ｂ）に示す状態においては、付勢部材８２の付勢部８２ａはベース部材８３によって溝部６４の奥部に押し込まれるため、付勢部８２ａの領域Ｒ３に位置する部分は、隔壁６１によって形成される内壁面（頂点Ｓ２、Ｓ３間、および頂点Ｓ４、Ｓ５間）に接触することになる。この内壁面は、溝部６４の奥部に進むに従い、幅が狭くなる。そのため、図７（ｂ）に示す状態では、付勢部材８２の付勢部８２ａは上述したように撓み、その撓みに起因してベース部材８３に対して、それを開口部６３近くの壁面６２に押し付ける付勢力を発生させる。その結果、付勢部材８２とベース部材８３とから構成されるスライディングブロックは、支柱６内の任意の位置に固定される。
【００３１】
そして、支柱６内に固定されたスライディングブロックのネジ孔８３ｂに対して、挿入孔７の内側面７１に設けられた固定用の設置孔７２を通して外側からネジを締結することで、脚部２に支柱６を立設することが可能となる。
【００３２】
ここで、一度任意の位置に固定されたスライディングブロックに対して、その固定位置を変更する際の様子について、図８に基づいて説明する。先ず、図８（ａ）に示すように、付勢部材８２に付勢力が与えられているベース部材８３を、矢印の方向に、完全に付勢部材８２から付勢力が与えられない位置までずらす。このとき、溝部６４を断面方向から見ると、図８（ｂ）に示すとおりである。付勢部材８２は、ベース部材８３が外されたことで、図８（ｂ）に示す状態となる。このとき、ベース部材８３は、溝部６４内において、付勢部材８２が存在する空間以外の空間に存在することになる。
【００３３】
しかし、図８（ｂ）に示すように、ベース部材８３は、溝部６４内において付勢部材８２の突起部８２ｃに干渉する状態となる。このことは、ベース部材８３が、付勢部材８２による付勢力から解放された状態となっても、溝部６４内において自在に移動可能ではなく、付勢部材８２によってその移動が制限されることを意味する。これにより、ベース部材８３が付勢部材８２からいたずらに離れてしまうことを回避できる。尚、ベース部材８３を付勢部材８２による付勢力から解放した後は、ベース部材８３を開口部６３から取り外し、付勢部材８２を新たな位置に移動させた後に改めてベース部材８３を溝部６４内に挿入することで、スライディングブロックの固定を行える。
【００３４】
なお、支柱６にビーム９やパネル、棚等の対象部材を取り付ける際にも、同様のスライディングブロックを用いて、支柱６の任意の位置に取り付けることが出来る。
【００３５】
次に、本実施形態における、支柱６を脚部２に取り付ける手順を説明する。図９Ａから図９Ｅは、本実施形態における支柱６を脚部２に取り付ける手順を示す図である。はじめに、脚部２に設けられた背面カバー２７および開口カバー２９が取り外される（図９Ａを参照）。背面カバー２７が取り外されることで、脚部２の背面に支柱６固定用の設置孔７２が露出し、開口カバー２９が取り外されることで、脚部２の上面に支柱６が挿入される挿入孔７の開口が露出する（図９Ｂを参照）。
【００３６】
また、支柱６の溝の任意の位置に、スライディングブロックが固定される。スライディングブロックの固定の手順については、既に説明済みなので説明を省略する。ここで、スライディングブロックは、予め支柱６上部のうちどれだけの長さを脚部２または天板３の上に露出させるかを決定した上で、支柱６下部の、支柱６が前記決定された露出長さを残して挿入孔７に挿入された状態で脚部２に設けられた支柱６固定用の設置孔７２に対応する位置に取り付けられる。なお、強度および安定性の確保のため、スライディングブロックは、２以上取り付けられることが好ましい。
【００３７】
次に、開口を介して挿入孔７に支柱６が挿入される（図９Ｃを参照）。挿入された支柱６は、スライディングブロックが取り付けられた位置と、内側面７１の設置孔７２との位置が合致するように位置合わせされる。
【００３８】
そして、その位置で、スライディングブロックのネジ孔８３ｂに対して、挿入孔７の内側面７１に設けられた固定用の設置孔７２を通して外側からネジを締結することで、挿入孔７内側面７１に支柱６が固定され、脚部２に支柱６が立設される。最後に、脚部２背面に背面カバー２７が再度取り付けられることで、支柱６の取り付けは完了する（図９Ｄを参照）。
【００３９】
なお、本実施形態に係る支柱取り付け構造に拠れば、スライディングブロックを任意の位置に固定することが可能であるため、支柱の設置高さを自由に調整することが可能である（図９Ｅを参照）。
【００４０】
図１０は、本実施形態における、脚部２への支柱６の設置が完了した状態の脚部２の断面図である。背面カバー２７が取り付けられることで、脚部２背面の設置孔７２や係止孔７３、支柱６の取り付けに用いられたネジの頭等が露出することを避け、外観上良好な状態とすることが可能である。
【００４１】
また、図１１は、本実施形態に係る机１ａの一対の脚部２に支柱６が設置された様子を示す断面図である。このようにして支柱６が脚部２に取り付けられることで、この支柱６を用いてパネルや棚を取り付けることが可能となる。即ち、本実施形態に拠れば、机１ａの上に、安定的且つ任意の高さに、パネルや棚などを設置することが可能となる。
【００４２】
図１２は、本実施形態における、設置された支柱６にビーム９を取り付ける場合のバリエーションを示す図である。ビーム９は、図１に示すように一本のみ設置されてもよいし、図１２に示すように２本のビーム９が設置されてもよい。即ち、ビーム９の本数および間隔は、設置したいパネルや棚の形状、設置したい照明器具の設置位置等、様々な要求に応じて、適宜設定することが可能である。
【００４３】
本実施形態においては、挿入孔７に支柱６が挿入されるため、従来の、天板等に取り付け装置を設置する取り付け構造に比べて、挿入孔７と、固定対象である支柱６との接合部分の面積を広く取ることが出来る。このため、従来の取り付け方法に比べて強度および安定性を高めることが容易である。特に、本実施形態では、挿入孔７およびその内側面７１は脚部２の延びる方向と同一方向に延びているため、接合部分の長さを長く取ることが容易である。
【００４４】
なお、本実施形態において、支柱６を固定するための構造は、スライディングブロックおよびネジとして別部材となっているが、支柱６を固定するための構造は内側面７１と一体に設けられたものであってもよい。例えば、内側面にフック等の係止部を設け、支柱に被係止部を設けることで、支柱を内側面に固定することとしてもよい。
【００４５】
＜第二の実施形態＞
また、本発明は、Ｌ字机に支柱を設ける場合に用いることも可能である。図１３は、本実施形態に係る机１ｃの全体的な構成を示す図である。本実施形態に係る机１ｃは、全体として平面視Ｌ字状の天板３Ｂを備え、このＬ字状の天板３Ｂが、両端および中間の屈折部において脚部２、２Ｂによって支持される机１ｃである。ここで、両端において天板３Ｂを支持する脚部２の構成は、上記第一の実施形態において説明したＬ字状の脚部２と同様である。
【００４６】
図１４は、本実施形態に係る脚部２Ｂの構成を示す図である。脚部２Ｂは、金属板が曲げ加工されることで形成された外郭（上部２１Ｂ、胴部２３Ｂ、背面部２２Ｂ、足部２４Ｂ）に、背面カバー２７Ｂ、開口縁２８Ｂ、開口カバー２９Ｂ、および接地足３０が設けられることで構成される。屈折部において天板３Ｂを支持する脚部２Ｂは、Ｌ字状の天板３Ｂの屈折部において、後端付近から、天板３Ｂ背面に４５度の角度をもって天板３Ｂを支持する。この脚部２Ｂは、脚部２同様、後端に挿入孔７Ｂを有するが、脚部２と異なり、天板３Ｂを支持する上面に対して、断面略矩形の挿入孔７Ｂが斜めに設けられる。
【００４７】
図１５は、本実施形態に係る脚部２Ｂに設けられる挿入孔７Ｂを示す断面図である。脚部２Ｂに設けられる挿入孔７Ｂは、断面略正方形であり、この正方形は、挿入孔７の断面の長方形の長辺と同一の長さの四辺を有する正方形である。このため、挿入孔７Ｂには、挿入孔７に挿入可能な断面略長方形の支柱６（図４を参照）の他に、断面略正方形の支柱６Ｂを挿入することが出来る（図１６の（ａ）を参照）。
【００４８】
また、断面略長方形の支柱６を挿入する場合には、その向き（設置状態）を選択して挿入することが可能である（図１６の（ｂ）および（ｃ）を参照）。即ち、本実施形態に係るＬ字机１ｃは、パネルや棚が設置される面を２面有するが、パネルや棚を全面に取り付けるか、片側の面のみに取り付けるかを選択可能であり、更に、片側の面のみに取り付ける場合、どちらの面に取り付けるかを選択することが出来る。
【００４９】
図１７Ａから図１７Ｄは、本実施形態における支柱６、６Ｂを挿入孔７Ｂに固定する手順を示す図である。取り付け手順は、図９Ａから図９Ｅを用いて説明した手順と概略同様である。はじめに、背面カバー２７Ｂおよび開口カバー２９Ｂが取り外され、支柱６、６Ｂ固定用の設置孔７２Ｂ、背面カバーを係止していた係止孔７３Ｂ、および挿入孔７Ｂの開口が露出する（図１７Ａおよび図１７Ｂを参照）。そして、スライディングブロックが設けられた支柱６または６Ｂが挿入され、ネジ固定され、背面カバーが取り付けられる（図１７Ｃおよび図１７Ｄを参照）。
【００５０】
ここで、図１７Ｄの（ａ）から（ｄ）は、挿入孔７Ｂへの支柱取り付けのバリエーションを示す図である。先述の通り、挿入孔７Ｂには断面略長方形の支柱６を異なる方向に取り付けることが可能であり、また、スライディングブロック取り付け位置の調整により設置高さを自在に調整することが可能である。なお、図９Ａから図９Ｅを用いて説明した方法では、机１ａの背面側の一方向のみからネジ固定を行ったが、挿入孔７Ｂに挿入して取り付ける場合、二方向からネジ固定を行うことが可能である。特に、挿入孔７Ｂに断面略正方形の支柱６Ｂを挿入して固定し（図１７Ｄの（ｄ）を参照）、Ｌ字机１ｃの両サイドに棚やパネルを取り付ける場合には、挿入孔７Ｂの支柱６Ｂが３本設けられる支柱６、６、６Ｂのうち負荷が最も高い中心の支柱６Ｂとなるため、二方向から固定を行うことで、安定性を更に高めることは効果的である。
【００５１】
図１８は、本実施形態に係るＬ字机１ｃの脚部２、２Ｂに支柱６、６Ｂが設置された様子を示す断面図である。即ち、本実施形態に拠れば、Ｌ字机１ｃに３本の支柱６、６、６Ｂを設置して、その天板３Ｂ上部全てをパネルや棚等の対象部材の設置スペースとして利用することも可能であるし（図１８の（ａ）を参照）、Ｌ字机１ｃに２本の支柱６、６を設置して、その天板３Ｂ上部のうち片サイドのみを対象部材の設置スペースとして利用することも可能である（図１８の（ｂ）を参照）。当然、片サイドのみを対象部材の設置スペースとして利用する場合には、Ｌ字机１ｃのどちらのサイドを設置スペースとして利用するかは任意に選択可能である。
【００５２】
図１９Ａおよび図１９Ｂは、本実施形態における、設置された支柱６、６Ｂにビーム９を取り付ける場合のバリエーションを示す図である。図１９Ａは、２面にビーム９を設け、片面のみビームを２本とした場合の机１ｄの全体を示す図である。例えば、片面に棚を設け、片面にパネルを設ける場合等に、このような構成とすることが考えられる。図１９Ｂは、片面にビーム９を設けた場合の机１ｅの全体を示す図である。例えば、片面のみにパネルを設ける場合等に、このような構成とすることが考えられる。なお、第一の実施形態と同様、ビーム９の本数および間隔は、設置したいパネルや棚の形状、設置したい照明器具の設置位置等、様々な要求に応じて、適宜設定されることが好ましい。
【００５３】
＜第三の実施形態＞
上記第二の実施形態において、水平面における天板３Ｂの屈折角は直角であったが、この屈折角は、直角よりも大きい角、例えば、１２０度や、１３５度といった角度にしてもよい。図２０は、本実施形態に係る机１ｆの全体的な構成を示す図である。本実施形態に係る机１ｆは、全体として平面視における屈折角が１２０度である天板３Ｃを備え、このＬ字状の天板３Ｃが、両端および中間の屈折部において脚部２、２Ｃによって支持される机１ｆである。ここで、両端において天板３Ｃを支持する脚部２の構成は、上記第一およ
び第二の実施形態において説明したＬ字状の脚部２と同様である。
【００５４】
また、脚部２Ｃ（本発明の支柱支持装置に相当する）は、前記第二の実施形態において説明した脚部２Ｂと概略同様の構成を有する。但し、脚部２Ｃは、その脚部２Ｃに設けられた挿入孔７Ｃの形状が、断面略矩形である脚部２Ｂと異なり、断面略五角形である点で特徴的である。
【００５５】
脚部２Ｃには、天板の直角ではない屈折角に対応するために、断面略五角形の挿入孔７Ｃが設けられる。図２１は、本実施形態に係る脚部２Ｃに設けられる挿入孔７Ｃを示す断面図である。この挿入孔７Ｃには、挿入孔７Ｃの内壁に沿う形状を有する、断面略五角形の支柱６Ｃを挿入することが可能である（図２２の（ａ）を参照）。
【００５６】
この断面略五角形の支柱６Ｃの構成は、側面に溝を有する点等、断面が略五角形であることを除いて第一および第二の実施形態で説明した断面略矩形の支柱６、６Ｂと概略同様であるため、説明を省略する。この断面略五角形の支柱６Ｃを挿入することで、屈折した天板３Ｃ上の両サイドに、パネルや棚などを設置することが可能となる。
【００５７】
脚部２Ｃに設けられる挿入孔７Ｃは、断面略五角形である。以降、天板３Ｃの屈折角と同一の角度を有する、挿入孔７Ｃの２つの内側面を、第一の内側面７１ａおよび第二の内側面７１ｂと称する。この五角形は、第一の内側面７１ａおよび第二の内側面７１ｂに対応する２辺が、夫々挿入孔７の断面の長方形の短辺と同一の長さを有する五角形である。このため、挿入孔７Ｃには、支柱６Ｃの他に、挿入孔７に挿入可能な断面略長方形の支柱６（図４を参照）を挿入することが出来る。
【００５８】
また、断面略長方形の支柱６を挿入する場合には、天板３Ｃのどちらのサイドにパネルや棚を設置するかに従って、支柱６の向き（設置状態）を選択して挿入することが可能である（図２２の（ｂ）および（ｃ）を参照）。即ち、本実施形態に係るＬ字机１ｆは、第二の実施形態に示した机１ｃと同様、パネルや棚を全面に取り付けるか、片側の面のみに取り付けるかを選択可能であり、更に、片側の面のみに取り付ける場合、どちらの面に取り付けるかを選択することが出来る。
【００５９】
脚部２Ｃに支柱６または６Ｃを設置する方法については、上記実施形態において示した支柱の設置方法と概略同様である。即ち、はじめに背面カバー２７Ｃおよび開口カバーが取り外され、支柱６、６Ｃ固定用の設置孔、背面カバー２７Ｃを係止していた係止孔、および挿入孔の開口が露出する（図示は省略する）。そして、スライディングブロックが設けられた支柱６または６Ｃが挿入され、ネジ固定され、背面カバー２７Ｃが取り付けられる（図示は省略する）。
【００６０】
図２３は、本実施形態に係るＬ字机１ｆの脚部２、２Ｃに支柱６、６Ｃが設置された様子を示す断面図である。即ち、本実施形態に拠れば、第二の実施形態と同様、Ｌ字机１ｆに３本の支柱６、６、６Ｃを設置して、その天板３Ｃ上部全てをパネルや棚等の対象部材の設置スペースとして利用することも可能であるし（図２３の（ａ）を参照）、Ｌ字机１ｆに２本の支柱６、６を設置して、その天板３Ｃ上部のうち片サイドのみを対象部材の設置スペースとして利用することも可能である（図２３の（ｂ）を参照）。
【００６１】
例えば、向かって左側のサイドにパネルを設けたい場合、支柱６は図２３の（ｂ）に示すように、左端の脚部２に挿入された支柱６と平行な向きに挿入され、第一の内側面７１ａに固定される（第一の設置状態）。また、向かって右側のサイドにパネルを設けたい場合、右端の脚部２に挿入された支柱６と平行な向きに挿入され、第二の内側面７１ｂに固定される（第二の設置状態）。即ち、挿入孔７Ｃに断面略矩形の支柱６を挿入する場合、
この支柱６は、支柱６を用いて対象部材を設置する際にペアで用いられる対向する支柱６と平行に挿入される。
【００６２】
ここで、第一の設置状態にある支柱６の向きと第二の設置状態にある支柱６の向きとが成す角は、天板３Ｃの屈折角と補角の関係にある。例えば、天板３Ｃの屈折角が１２０度である場合、第一の設置状態にある支柱６が向く方向と第二の設置状態にある支柱６が向く方向とが成す角は６０度であり、天板３Ｃの屈折角が１３５度である場合、第一の設置状態にある支柱６の向きと第二の設置状態にある支柱６の向きとが成す角は４５度である（図２３の（ｂ）および図２４の（ｂ）を参照）。
【００６３】
また、挿入孔７Ｃは、第一の内側面７１ａと直角をなすことで第一の内側面７１ａと共に第一の設置状態で挿入された支柱６に沿う、第三の内側面７１ｃと、第二の内側面７１ｂと直角をなすことで第二の内側面７１ｂと共に第二の設置状態で挿入された支柱６に沿う、第四の内側面７１ｄとを有する。このような第三の内側面７１ｃおよび第四の内側面７１ｄを有することで、挿入孔７Ｃに挿入された支柱６は、二方向から支持されることとなり、高い安定性を得ることが出来る。
【００６４】
なお、本実施形態では、主に天板の屈折角が１２０度であるＬ字机について説明したが、この角度は例示であり、その角度は実施の態様ごとに適宜設定することが可能である。図２４は、平面視における屈折角が１３５度である天板を備えるＬ字机の脚部に支柱６、６Ｃが設置された様子を示す断面図である。
【００６５】
なお、本実施形態では、上記第一および第二の実施形態と同様の固定方法、即ちスライディングブロックおよびネジを用いて第一の内側面７１ａまたは第二の内側面７１ｂに固定する方法について説明した。但し、固定には更に第三の内側面７１ｃまたは第四の内側面７１ｄが用いられてもよいし、スライディングブロックおよびネジを用いない固定方法、即ち第一の実施形態において例示したような、内側面に設けられた係止部と支柱に設けられた被係止部とを用いて支柱を内側面に固定する方法等が採用されてもよい。
【００６６】
本実施形態に拠れば、断面略矩形の支柱６を設置する場合に、支柱６の向きを選択して設置することが可能であり、且つどちらの設置状態（支柱６の向き）を選択した場合であっても、安定性の高い支柱支持装置を提供することが可能となる。
【図面の簡単な説明】
【００６７】
【図１】実施形態に係る机の全体的な構成を示す図である。
【図２】実施形態に係る脚部の構成を示す図である。
【図３】実施形態に係る挿入孔を示す断面図である。
【図４】実施形態に係る支柱の断面図である。
【図５】図４に示す支柱で使用される、固定用のスライディングブロックの構成を示す第一の図である。
【図６】図４に示す支柱で使用される、固定用のスライディングブロックの構成を示す第二の図である。
【図７】実施形態に係るスライディングブロックの動きを説明する第一の図である。
【図８】実施形態に係るスライディングブロックの動きを説明する第二の図である。
【図９Ａ】実施形態における支柱を脚部に取り付ける手順を示す図Ａである。
【図９Ｂ】実施形態における支柱を脚部に取り付ける手順を示す図Ｂである。
【図９Ｃ】実施形態における支柱を脚部に取り付ける手順を示す図Ｃである。
【図９Ｄ】実施形態における支柱を脚部に取り付ける手順を示す図Ｄである。
【図９Ｅ】実施形態における支柱を脚部に取り付ける手順を示す図Ｅである。
【図１０】実施形態における、脚部への支柱の設置が完了した状態の脚部の断面図である。
【図１１】実施形態に係る机の一対の脚部に支柱が設置された様子を示す断面図である。
【図１２】実施形態における、設置された支柱にビームを取り付ける場合のバリエーションを示す図である。
【図１３】実施形態に係る机の全体的な構成を示す図である。
【図１４】実施形態に係る脚部の構成を示す図である。
【図１５】実施形態に係る脚部に設けられる挿入孔を示す断面図である。
【図１６】実施形態における、脚部への支柱の設置が完了した状態の脚部の断面図である。
【図１７Ａ】実施形態における支柱を挿入孔に固定する手順を示す図Ａである。
【図１７Ｂ】実施形態における支柱を挿入孔に固定する手順を示す図Ｂである。
【図１７Ｃ】実施形態における支柱を挿入孔に固定する手順を示す図Ｃである。
【図１７Ｄ】実施形態における支柱を挿入孔に固定する手順を示す図Ｄである。
【図１８】実施形態に係るＬ字机の脚部に支柱が設置された様子を示す断面図である。
【図１９Ａ】実施形態における、設置された支柱にビームを取り付ける場合のバリエーションを示す図Ａである。
【図１９Ｂ】実施形態における、設置された支柱にビームを取り付ける場合のバリエーションを示す図Ｂである。
【図２０】本実施形態に係る机の全体的な構成を示す図である。
【図２１】実施形態に係る脚部に設けられる挿入孔を示す断面図である。
【図２２】実施形態における、脚部への支柱の設置が完了した状態の脚部の断面図である。
【図２３】実施形態に係るＬ字机の脚部に支柱が設置された様子を示す断面図である。
【図２４】平面視における屈折角が１３５度である天板を備えるＬ字机の脚部に支柱が設置された様子を示す断面図である。
【符号の説明】
【００６８】
１、１ａ、１ｂ、１ｃ、１ｄ、１ｅ、１ｆ  机
２、２Ｂ、２Ｃ  脚部
３、３Ｂ、３Ｃ  天板
６、６Ｂ、６Ｃ  支柱
７、７Ｂ、７Ｃ  挿入孔
９  ビーム
２７、２７Ｂ、２７Ｃ  背面カバー
２９、２９Ｂ  開口カバー
３０  接地足
７１  内側面
７２、７２Ｂ  設置孔
７３、７３Ｂ  係止孔
８２  付勢部材
８３  ベース部材
【図１】
0005235386.tif 000002
【図２】
0005235386.tif 000003
【図３】
0005235386.tif 000004
【図４】
0005235386.tif 000005
【図５】
0005235386.tif 000006
【図６】
0005235386.tif 000007
【図７】
0005235386.tif 000008
【図８】
0005235386.tif 000009
【図９Ａ】
0005235386.tif 000010
【図９Ｂ】
0005235386.tif 000011
【図９Ｃ】
0005235386.tif 000012
【図９Ｄ】
0005235386.tif 000013
【図９Ｅ】
0005235386.tif 000014
【図１０】
0005235386.tif 000015
【図１１】
0005235386.tif 000016
【図１２】
0005235386.tif 000017
【図１３】
0005235386.tif 000018
【図１４】
0005235386.tif 000019
【図１５】
0005235386.tif 000020
【図１６】
0005235386.tif 000021
【図１７Ａ】
0005235386.tif 000022
【図１７Ｂ】
0005235386.tif 000023
【図１７Ｃ】
0005235386.tif 000024
【図１７Ｄ】
0005235386.tif 000025
【図１８】
0005235386.tif 000026
【図１９Ａ】
0005235386.tif 000027
【図１９Ｂ】
0005235386.tif 000028
【図２０】
0005235386.tif 000029
【図２１】
0005235386.tif 000030
【図２２】
0005235386.tif 000031
【図２３】
0005235386.tif 000032
【図２４】
0005235386.tif 000033